(57)【要約】【課題】電流制御部の容量が大きくなるのを抑制しながら、複数の外部機器に電流を供給する映像音声信号処理装置を提供する。【解決手段】このテレビジョン装置１００（映像音声信号処理装置）は、コネクタ７ａ、７ｂおよび７ｃを通して複数の外部機器Ａ、ＢおよびＣの各々に供給する電流量を制御するための電流制限回路６と、複数の外部機器Ａ、ＢおよびＣのうち、所定の処理を実行している外部機器（たとえば、外部機器Ａ）とそれ以外の外部機器（たとえば、外部機器Ｂ、Ｃ）とを判別するための制御部４とを備え、電流制限回路６は、制御部４により判別された外部機器（たとえば、外部機器Ｂ、Ｃ）に供給する電流量を外部機器（たとえば、外部機器Ａ）に供給する電流量よりも小さくするように構成されている。【選択図】図１
2014090280.tif 000002
【特許請求の範囲】
【請求項１】
複数の外部機器を接続するための接続部と、
前記接続部を通して前記複数の外部機器の各々に供給する電流量を制御するための電流制御部と、
前記複数の外部機器のうち、所定の処理を実行している第１外部機器とそれ以外の第２外部機器とを判別するための判別部とを備え、
前記電流制御部は、前記判別部により判別された前記第２外部機器に供給する電流量を前記第１外部機器に供給する電流量よりも小さくするように構成されている、映像音声信号処理装置
【請求項２】
前記複数の外部機器は、前記電流制御部から供給される電流量の上限値を前記外部機器ごとに予め有しており、
前記電流制御部は、前記第１外部機器に供給する電流量を、前記第１外部機器が予め有する上限値にするとともに、前記第２外部機器に供給する電流量を、前記第１外部機器が予め有する上限値よりも小さくするように構成されている、請求項１に記載の映像音声信号処理装置。
【請求項３】
前記複数の外部機器が前記接続部に接続された際に、前記複数の外部機器のそれぞれの電流量の上限値を取得するように構成されている、請求項２に記載の映像音声信号処理装置。
【請求項４】
前記電流量の上限値は、ユーザの操作に基づいて設定されるように構成されている、請求項２または３に記載の映像音声信号処理装置。
【請求項５】
前記判別部が判別する前記所定の処理は、前記外部機器から前記映像音声信号処理装置への映像音声信号の送信処理である、請求項１〜４のいずれか１項に記載の映像音声信号処理装置。
【請求項６】
前記外部機器と前記接続部とは、映像音声信号および電力を伝送するとともに前記外部機器と前記接続部との間で双方向通信する所定の規格に基づいて接続されている、請求項１〜５のいずれか１項に記載の映像音声信号処理装置。
【請求項７】
前記所定の規格は、前記電流制御部から供給される電流量の下限値が予め定められており、
前記電流制御部は、前記第２外部機器に供給する電流量を、前記所定の規格により予め定められている下限値にするように構成されている、請求項６に記載の映像音声信号処理装置。
【請求項８】
前記電流制御部は、電流を前記外部機器に供給して、前記外部機器を充電するように構成されており、前記第１外部機器の充電が完了した場合に、前記第１外部機器に供給する電流量を小さくするように構成されている、請求項１〜７のいずれか１項に記載の映像音声信号処理装置。
【請求項９】
前記電流制御部は、電流を前記外部機器に供給して、前記外部機器を充電するように構成されており、
前記外部機器の充電状態を報知する報知部をさらに備え、
前記報知部は、前記外部機器の前記所定の処理の処理中に、前記外部機器の充電状態を報知するように構成されている、請求項１〜８のいずれか１項に記載の映像音声信号処理装置。
【請求項１０】
前記電流制御部は、電流を前記外部機器に供給して、前記外部機器を充電するように構成されており、
前記外部機器の充電状態を報知する報知部をさらに備え、
前記報知部は、前記外部機器の前記所定の処理の処理中に、前記外部機器から送信される充電完了を知らせる信号に基づいて、前記外部機器の充電が完了したことを報知するように構成されている、請求項１〜９のいずれか１項に記載の映像音声信号処理装置。
【発明の詳細な説明】
【技術分野】
【０００１】
この発明は、映像音声信号処理装置に関し、特に、外部機器に電流を供給する電流制御部を備える映像音声信号処理装置に関する。
【背景技術】
【０００２】
従来、外部機器に電流を供給する電流制御部を備える映像音声信号処理装置が知られている（たとえば、特許文献１参照）。
【０００３】
上記特許文献１には、バッテリー駆動するモバイル機器（ソース機器）と、ソース機器にＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）（登録商標）ケ−ブルを介して接続され、ソース機器に電流を供給する電源部を有するテレビ受信機（シンク機器）とを備える通信システム（映像音声信号処理装置）が開示されている。この通信システムでは、ソース機器から必要とする電流値等の情報がシンク機器に送信されるとともに、シンク機器は、送信された電流値等の情報に基づいて、必要とする電力（電流）を電源部からソース機器に供給するように構成されている。
【先行技術文献】
【特許文献】
【０００４】
【特許文献１】特開２００９−４４７０６号公報
【発明の概要】
【発明が解決しようとする課題】
【０００５】
しかしながら、上記特許文献１の通信システムでは、シンク機器にソース機器（外部機器）が複数接続されている場合、それぞれのソース機器から必要とする電流値等の情報がシンク機器に送信されるとともに、シンク機器は、送信された電流値等の情報に基づいて、ソース機器が必要とする電力（比較的大きな電流量）をそれぞれのソース機器に供給すると考えられる。この場合、全てのソース機器に必要とされる電力を供給するためには、シンク機器に比較的大きな容量を有する電源部を備える必要があるという問題点がある。
【０００６】
この発明は、上記のような課題を解決するためになされたものであり、この発明の１つの目的は、電流制御部の容量が大きくなるのを抑制しながら、複数の外部機器に電流を供給する映像音声信号処理装置を提供することである。
【課題を解決するための手段】
【０００７】
この発明の一の局面による映像音声信号処理装置は、複数の外部機器を接続するための接続部と、接続部を通して複数の外部機器の各々に供給する電流量を制御するための電流制御部と、複数の外部機器のうち、所定の処理を実行している第１外部機器とそれ以外の第２外部機器とを判別するための判別部とを備え、電流制御部は、判別部により判別された第２外部機器に供給する電流量を第１外部機器に供給する電流量よりも小さくするように構成されている。
【０００８】
この発明の一の局面による映像音声信号処理装置では、上記のように、電流制御部を、判別部により判別された第２外部機器に供給する電流量を第１外部機器に供給する電流量よりも小さくするように構成する。これにより、所定の処理を実行している第１外部機器に大きな電流量が供給されるとともに、それ以外の第２外部機器に供給される電流量は比較的小さくされるので、電流制御部の容量が大きくなるのを抑制しながら、複数の外部機器に電流を供給することができる。
【０００９】
この場合、好ましくは、複数の外部機器は、電流制御部から供給される電流量の上限値を外部機器ごとに予め有しており、電流制御部は、第１外部機器に供給する電流量を、第１外部機器が予め有する上限値にするとともに、第２外部機器に供給する電流量を、第１外部機器が予め有する上限値よりも小さくするように構成されている。このように構成すれば、第１外部機器に供給する電流量を第１外部機器が予め有する上限値にして、比較的大きな電流量を必要とする第１外部機器には大きな電流量が供給されるとともに、第２外部機器に供給される電流量は上限値よりも小さくされるので、容易に、電流制御部の容量が大きくなるのを抑制しながら、外部機器に電流を供給することができる。
【００１０】
上記第１外部機器に供給する電流量を第１外部機器が予め有する上限値にする映像音声信号処理装置において、好ましくは、複数の外部機器が接続部に接続された際に、複数の外部機器のそれぞれの電流量の上限値を取得するように構成されている。このように構成すれば、処理中の外部機器が別の外部機器に切り替えられた場合でも、外部機器が接続部に接続された際に取得された電流量の上限値に基づいて、容易に、外部機器に供給する電流量を切り替えることができる。
【００１１】
上記一の局面による映像音声信号処理装置において、好ましくは、電流量の上限値は、ユーザの操作に基づいて設定されるように構成されている。このように構成すれば、ユーザの操作に基づいて、容易に、電流制御部の容量に応じた上限値を設定することができる。
【００１２】
上記一の局面による映像音声信号処理装置において、好ましくは、判別部が判別する所定の処理は、外部機器から映像音声信号処理装置への映像音声信号の送信処理である。このように構成すれば、所定の処理を実行している外部機器とそれ以外の外部機器とを、容易に、判別することができる。
【００１３】
上記一の局面による映像音声信号処理装置において、好ましくは、外部機器と接続部とは、映像音声信号および電力を伝送するとともに外部機器と接続部との間で双方向通信する所定の規格に基づいて接続されている。このように構成すれば、容易に、外部機器からの映像音声信号を受信しながら、外部機器へ電力を供給し、さらに外部機器を制御することができる。
【００１４】
この場合、好ましくは、複数の外部機器は、所定の規格は、電流制御部から供給される電流量の下限値が予め定められており、電流制御部は、第２外部機器に供給する電流量を、所定の規格により予め定められている下限値にするように構成されている。このように構成すれば、第２外部機器を動作させるのに最低限必要な電流量を第２外部機器に供給しながら、第１外部機器に十分な電流量を供給することができる。
【００１５】
上記一の局面による映像音声信号処理装置において、好ましくは、電流制御部は、電流を外部機器に供給して、外部機器を充電するように構成されており、第１外部機器の充電が完了した場合に、第１外部機器に供給する電流量を小さくするように構成されている。このように構成すれば、充電が完了した場合に、第１外部機器に供給する電流量が小さくされるので、映像音声信号処理装置の消費電力を抑制することができる。
【００１６】
上記一の局面による映像音声信号処理装置において、好ましくは、電流制御部は、電流を外部機器に供給して、外部機器を充電するように構成されており、外部機器の充電状態を報知する報知部をさらに備え、報知部は、外部機器の所定の処理の処理中に、外部機器の充電状態を報知するように構成されている。このように構成すれば、外部機器の処理中でも、ユーザは、容易に、外部機器の充電状態を確認することができる。
【００１７】
上記一の局面による映像音声信号処理装置において、好ましくは、電流制御部は、電流を外部機器に供給して、外部機器を充電するように構成されており、外部機器の充電状態を報知する報知部をさらに備え、報知部は、外部機器の所定の処理の処理中に、外部機器から送信される充電完了を知らせる信号に基づいて、外部機器の充電が完了したことを報知するように構成されている。このように構成すれば、外部機器の処理中でも、ユーザは、容易に、外部機器の充電が完了したことを知ることができる。
【発明の効果】
【００１８】
本発明によれば、上記のように、電流制御部の容量が大きくなるのを抑制しながら、複数の外部機器に電流を供給することができる。
【図面の簡単な説明】
【００１９】
【図１】本発明の第１実施形態によるテレビジョン装置の構成を示したブロック図である。
【図２】本発明の第１実施形態によるテレビジョン装置の外部機器の充電状態を表示した表示部を示した図である。
【図３】本発明の第１実施形態によるテレビジョン装置の外部機器の充電が完了したことを示した表示部を示した図である。
【図４】本発明の第１実施形態によるテレビジョン装置の動作を説明するためのシーケンス図である。
【図５】本発明の第２実施形態によるテレビジョン装置の構成を示したブロック図である。
【図６】本発明の第３実施形態のテレビジョン装置の表示部に表示された外部機器に供給する電流量を入力する画面を示す図である。
【図７】本発明の第１〜第３実施形態の変形例によるテレビジョン装置の表示部に２つの外部機器の映像が表示された状態を示す図である。
【発明を実施するための形態】
【００２０】
以下、本発明の実施形態を図面に基づいて説明する。
【００２１】
（第１実施形態）
図１を参照して、第１実施形態によるテレビジョン装置１００の構成について説明する。なお、テレビジョン装置１００は、本発明の「映像音声信号処理装置」の一例である。
【００２２】
テレビジョン装置１００は、図１に示すように、信号切替回路１と、信号処理回路２と、表示部３と、制御部４と、電源部５と、電流制限回路６と、複数（第１実施形態は３つ）のコネクタ７ａ、７ｂおよび７ｃとを備えている。なお、表示部３は、本発明の「報知部」の一例である。また、制御部４は、本発明の「判別部」の一例である。また、電源部５および電流制限回路６は、本発明の「電流制御部」の一例である。また、コネクタ７ａ、７ｂおよび７ｃは、本発明の「接続部」の一例である。
【００２３】
３つのコネクタ７ａ、７ｂおよび７ｃは、それぞれ、ＭＨＬ（Ｍｏｂｉｌｅ  Ｈｉｇｈ  Ｄｅｆｉｎｉｔｉｏｎ  Ｌｉｎｋ）（登録商標）の規格に基づいたケーブル８を介して、外部機器Ａ、ＢおよびＣに接続されるように構成されている。ここで、第１実施形態では、ケーブル８は、ＭＨＬの規格に基づいて、映像音声信号および電力（電流）を伝送するとともに、外部機器Ａ、ＢおよびＣと制御部４との間で双方向通信するように構成されている。また、ＭＨＬの規格は、外部機器Ａ、ＢおよびＣを充電しながら、外部機器Ａ、ＢおよびＣからテレビジョン装置１００に映像音声信号を送信するように構成されている。また、外部機器Ａ、ＢおよびＣは、たとえば、スマートフォン、ＳＴＢ（Ｓｅｔ  Ｔｏｐ  Ｂｏｘ）などからなる。また、信号切替回路１には、ケーブル８およびコネクタ７ａ、７ｂおよび７ｃを介して、外部機器Ａ、ＢおよびＣから映像音声信号（図１の太い実線）が入力されるように構成されている。なお、映像音声信号は、映像信号または音声信号のうちの少なくとも一方を含む信号である。
【００２４】
信号切替回路１は、ユーザがたとえばリモコン（図示せず）を操作することにより選択された外部機器Ａ、ＢおよびＣのうちの１つの外部機器から送信された映像音声信号を信号処理回路２に送信するように構成されている。また、信号処理回路２は、信号切替回路１から送信された映像音声信号を、処理して表示部３に送信するように構成されている。また、表示部３は、信号処理回路２から送信された処理された映像音声信号を受信して、表示部３に表示（再生）するように構成されている。
【００２５】
また、第１実施形態では、電源部５は、電流制限回路６を介して電流（図１の点線）を外部機器Ａ、ＢおよびＣに供給して、外部機器Ａ、ＢおよびＣを充電するように構成されている。
【００２６】
制御部４は、信号切替回路１、信号処理回路２、表示部３、電源部５および電流制限回路６に接続されており、テレビジョン装置１００全体の動作を制御するように構成されている。また、制御部４には、メモリ４１が設けられている。メモリ４１は、外部機器Ａ、ＢおよびＣが予め有する電源部５から供給される電流量の上限値（ｐ、ｑ、ｒ）を記憶する機能を有する。なお、外部機器Ａ、ＢおよびＣの上限値（ｐ、ｑ、ｒ）は、全て等しい場合もあるし、全て異なる場合もある。ここで、第１実施形態では、複数の外部機器Ａ、ＢおよびＣのうち、所定の処理を実行している外部機器（たとえば、外部機器Ａ）とそれ以外の外部機器（たとえば、外部機器ＢおよびＣ）とを判別するように構成されている。具体的には、制御部４は、外部機器Ａ、ＢおよびＣからテレビジョン装置１００への映像音声信号の送信処理に基づいて、外部機器Ａ、ＢおよびＣが所定の処理を行っているか否かを判別する。そして、送信された映像音声信号が表示部３から出力されていない（映像音声信号を送信処理していない）外部機器（たとえば、外部機器ＢおよびＣ）に供給する電流量が、送信された映像音声信号が表示部３から出力されている（映像音声信号を送信処理している）外部機器（たとえば、外部機器Ａ）に供給する電流量よりも小さくなるように電流制限回路６を制御するように構成されている。
【００２７】
具体的には、電流制限回路６は、送信された映像音声信号が表示部３から出力されている外部機器（たとえば、外部機器Ａ）に供給する電流量を、外部機器（外部機器Ａ）が予め有する上限値（ｐ）にするとともに、送信された映像音声信号が表示部３から出力されていない外部機器（外部機器ＢおよびＣ）に供給する電流量を、外部機器（外部機器Ａ）が予め有する上限値（ｐ）よりも小さくするように構成されている。なお、映像音声信号を送信処理している外部機器（たとえば、外部機器Ａ）は、本発明の「第１外部機器」の一例である。また、映像音声信号を送信処理していない外部機器（たとえば、外部機器ＢおよびＣ）は、本発明の「第２外部機器」の一例である。
【００２８】
また、ＭＨＬの規格では、電源部５から供給される電流量の下限値（ｓ）が予め定められている。そして、第１実施形態では、電流制限回路６は、送信された映像音声信号が表示部３から出力されていない外部機器（たとえば、外部機器ＢおよびＣ）に供給する電流量を、ＭＨＬの規格により予め定められている下限値（ｓ）にするように構成されている。なお、下限値（ｓ）は、外部機器Ａ、ＢおよびＣが予め有している上限値（ｐ、ｑ、ｒ）よりも小さい（ｓ＜ｐ、ｑ、ｒ）。
【００２９】
また、第１実施形態では、表示部３は、外部機器（たとえば、外部機器Ａ）から送信された映像音声信号が表示部３から出力されている最中に、外部機器Ａ、ＢおよびＣの充電状態を報知する（表示する）ように構成されている。なお、ユーザがリモコン等を操作して、外部機器Ａ、ＢおよびＣの充電状態を表示する要求信号を制御部４に送信することにより、外部機器Ａ、ＢおよびＣの充電状態が表示される。具体的には、図２に示すように、たとえば、外部機器Ａにおいて再生されている映像（Ｗｅｂや、動画など）や音声などの信号が、表示部３に送信されて表示部３に表示（再生）されている最中に、全ての外部機器Ａ、ＢおよびＣの充電状態が、表示部３（表示部３の角部近傍側）にバー３ａによって表示されるように構成されている。具体的には、充電状態（充電量）に応じたバー３ａの数が表示されるように構成されている。図２では、４つのバー３ａが表示されている外部機器Ｂの充電量が最も大きく、３つのバー３ａが表示されている外部機器Ｃの充電量が次に大きく、２つのバー３ａが表示されている外部機器Ａの充電量が最も小さい。
【００３０】
また、第１実施形態では、表示部３は、外部機器（たとえば、外部機器Ａ）から送信された映像音声信号が表示部３から出力されている最中に、外部機器Ａ、ＢおよびＣから送信される充電完了を知らせる信号に基づいて、外部機器Ａ、ＢおよびＣの充電が完了したことを報知するように構成されている。具体的には、図３に示すように、たとえば、外部機器Ａにおいて再生されている映像や音声の信号が、表示部３に送信されて表示部３に表示（再生）されている最中に、外部機器Ａから充電完了を知らせる信号が送信された場合に、外部機器Ａの充電が完了したことが表示部３に報知される（表示部３の角部近傍に「Ａ：ＦＵＬＬ」と表示される）ように構成されている。このように、第１実施形態では、外部機器Ａ、ＢおよびＣから送信される映像音声信号に基づいた映像を表示する表示部３は、外部機器Ａ、ＢおよびＣの充電状態および充電が完了したことを報知する表示部３（報知部）を兼用するように構成されている。
【００３１】
次に、図４を参照して、第１実施形態によるテレビジョン装置１００（制御部４）の動作について説明する。
【００３２】
まず、ステップＳ１において、ユーザにより、外部機器Ａ、ＢおよびＣが、それぞれ、テレビジョン装置１００のコネクタ７ａ、７ｂおよび７ｃに接続される。そして、テレビジョン装置１００と外部機器Ａ、ＢおよびＣとの間の接続（論理的な接続）が確立される。
【００３３】
次に、ステップＳ２において、第１実施形態では、外部機器Ａ、ＢおよびＣがコネクタ７ａ、７ｂおよび７ｃに接続された際に、外部機器Ａ、ＢおよびＣのそれぞれの電流量の上限値（ｐ、ｑ、ｒ）が取得される。そして、取得された上限値（ｐ、ｑ、ｒ）は、制御部４のメモリ４１に記憶（保存）される。
【００３４】
次に、ステップＳ３において、制御部４により、電流制限回路６が制御されることにより、ＭＨＬの規格により予め定められている電流量の下限値（ｓ）が、外部機器Ａ、ＢおよびＣにそれぞれ供給される。
【００３５】
次に、ステップＳ４において、ユーザがリモコン等を操作することにより、外部機器Ａから送信された映像音声信号（映像）が、表示部３に表示（図２および図３参照）される。次に、ステップＳ５において、送信された映像音声信号が表示部３から出力されている（表示されている）外部機器Ａに供給する電流量が、外部機器Ａが予め有する上限値（ｐ）になるように、電流制限回路６が制御される。すなわち、送信された映像音声信号が表示部３に表示されていない外部機器ＢおよびＣに供給する電流量（下限値（ｓ））が、送信された映像音声信号が表示部３に表示されている外部機器Ａに供給する電流量（上限値（ｐ））よりも小さくなるように電流制限回路６が制御される。
【００３６】
次に、ステップＳ６において、ユーザがリモコン等を操作することにより、外部機器Ａ、ＢおよびＣの充電状態を表示する要求信号がテレビジョン装置１００（制御部４）に送信される。これにより、外部機器Ａ、ＢおよびＣの充電状態が制御部４により確認される。そして、ステップＳ７において、外部機器Ａから送信された映像音声信号が表示部３から出力されている（表示されている）最中に、外部機器Ａ、ＢおよびＣの充電状態が、表示部３に表示（図２参照）される。
【００３７】
次に、ステップＳ８において、ユーザがリモコン等を操作することにより、外部機器Ａから送信された映像音声信号（映像）が表示部３に表示されている状態から、外部機器Ｂから送信された映像音声信号（映像）が表示部３に表示されている状態に切り替えられる。これにより、ステップＳ９において、送信された映像音声信号が表示部３に表示されなくなった外部機器Ａに供給する電流量が、上限値（ｐ）から、ＭＨＬの規格により予め定められている下限値（ｓ）に引き下げられるように、電流制限回路６が制御される。さらに、ステップＳ１０において、送信された映像音声信号が表示部３に表示されるようになった外部機器Ｂに供給する電流量が、下限値（ｓ）から、外部機器Ｂが予め有している上限値（ｑ）に引き上げられるように、電流制限回路６が制御される。
【００３８】
次に、ステップＳ１１において、外部機器Ａから充電完了を知らせる信号が、制御部４に送信される。これにより、ステップＳ１２において、外部機器Ｂから送信された映像音声信号が表示部３から出力されている（表示されている）最中に、外部機器Ａの充電が完了したこと（「Ａ：ＦＵＬＬ」、図４参照）が、表示部３に表示される。このように、上記した外部機器Ａ、ＢおよびＣの充電状態の確認・表示動作、表示部３に映像（音声）を表示（再生）する外部機器の切替動作、および、外部機器の充電完了の表示動作は、テレビジョン装置１００がオン状態にされている間行われている。
【００３９】
第１実施形態では、上記のように、電流制限回路６を、制御部４により判別された所定の処理を実行していない外部機器（たとえば、外部機器Ｂ、Ｃ）に供給する電流量を所定の処理を実行している外部機器（たとえば、外部機器Ａ）に供給する電流量よりも小さくするように構成する。これにより、所定の処理を実行している（送信された映像音声信号が表示部３から出力される）比較的大きな電流量を必要とする外部機器（たとえば、外部機器Ａ）に大きな電流量が供給されるとともに、それ以外の（送信される映像音声信号が表示部３に出力されていない）外部機器（たとえば、外部機器ＢおよびＣ）に供給される電流量は比較的小さくされるので、電源部５の容量が大きくなるのを抑制しながら、複数の外部機器Ａ、ＢおよびＣに電流を供給することができる。
【００４０】
また、第１実施形態では、上記のように、複数の外部機器Ａ、ＢおよびＣは、電源部５から供給される電流量の上限値（ｐ、ｑ、ｒ）を外部機器Ａ、ＢおよびＣごとに予め有しており、送信された映像音声信号が表示部３から出力されている外部機器（たとえば、外部機器Ａ）に供給する電流量が、外部機器（たとえば、外部機器Ａ）が予め有する上限値（ｐ）になるとともに、それ以外の外部機器（たとえば、外部機器ＢおよびＣ）に供給する電流量が、送信された映像音声信号が表示部３から出力されている外部機器（たとえば、外部機器Ａ）が予め有する上限値（ｐ）よりも小さくなるように電流制限回路６を構成する。これにより、送信された映像音声信号が表示部３から出力されている外部機器（たとえば、外部機器Ａ）に供給する電流量を外部機器（たとえば、外部機器Ａ）が予め有する上限値（ｐ）にして、比較的大きな電流量を必要とする外部機器（たとえば、外部機器Ａ）には大きな電流量が供給されるとともに、それ以外の外部機器（たとえば、外部機器ＢおよびＣ）に供給される電流量は上限値（ｐ）よりも小さくされるので、容易に、電源部５の容量が大きくなるのを抑制しながら、外部機器Ａ、ＢおよびＣに電流を供給することができる。
【００４１】
また、第１実施形態では、上記のように、制御部４を、複数の外部機器Ａ、ＢおよびＣがコネクタ７ａ、７ｂおよび７ｃに接続された際に、複数の外部機器Ａ、ＢおよびＣのそれぞれの電流量の上限値（ｐ、ｑ、ｒ）を取得するように制御するように構成する。これにより、処理中の（表示部３から出力する映像音声信号を送信する）外部機器（たとえば、外部機器Ａ）が別の外部機器（たとえば、外部機器Ｂ）に切り替えられた場合でも、外部機器Ａ、ＢおよびＣがコネクタ７ａ、７ｂおよび７ｃに接続された際に取得された電流量の上限値（ｐ、ｑ、ｒ）に基づいて、容易に、外部機器Ａ、ＢおよびＣに供給する電流量を切り替えることができる。
【００４２】
また、第１実施形態では、上記のように、制御部４を、外部機器Ａ、ＢおよびＣからテレビジョン装置１００への映像音声信号の送信処理に基づいて、外部機器Ａ、ＢおよびＣが所定の処理を行っているか否かを判別するように構成する。これにより、所定の処理を実行している外部機器とそれ以外の外部機器とを、容易に、判別することができる。
【００４３】
また、第１実施形態では、上記のように、外部機器Ａ、ＢおよびＣとコネクタ７ａ、７ｂおよび７ｃとを、映像音声信号および電力を伝送するとともに外部機器Ａ、ＢおよびＣと制御部４との間で双方向通信する所定の規格（ＭＨＬの規格）に基づいて接続する。これにより、容易に、外部機器Ａ、ＢおよびＣからの映像音声信号を受信しながら、外部機器Ａ、ＢおよびＣへ電力を供給し、さらに外部機器Ａ、ＢおよびＣを制御することができる。
【００４４】
また、第１実施形態では、上記のように、所定の規格（ＭＨＬの規格）は、電源部５から供給される電流量の下限値（ｓ）が予め定められており、送信された映像音声信号が表示部３から出力されていない外部機器（たとえば、外部機器ＢおよびＣ）に供給する電流量が、所定の規格により予め定められている下限値（ｓ）になるように電流制限回路６を構成する。これにより、送信された映像音声信号が表示部３から出力されていない外部機器（たとえば、外部機器ＢおよびＣ）を動作させるのに最低限必要な電流量を外部機器に供給しながら、送信された映像音声信号が表示部３から出力されている外部機器（たとえば、外部機器Ａ）に十分な電流量を供給することができる。
【００４５】
また、第１実施形態では、上記のように、外部機器Ａ、ＢおよびＣの充電状態を報知する表示部３を設けて、外部機器（たとえば、外部機器Ａ）から送信された映像音声信号が表示部３から出力されている最中に、外部機器Ａ、ＢおよびＣの充電状態を報知するように表示部３を構成する。これにより、外部機器（たとえば、外部機器Ａ）から送信された映像音声信号が表示部３から出力されている期間中でも、ユーザは、容易に、外部機器Ａ、ＢおよびＣの充電状態を確認することができる。
【００４６】
また、第１実施形態では、上記のように、外部機器（たとえば、外部機器Ａ）から送信された映像音声信号が表示部３から出力されている最中に、外部機器Ａ、ＢおよびＣから送信される充電完了を知らせる信号に基づいて、外部機器Ａ、ＢおよびＣの充電が完了したことを報知するように表示部３を構成する。これにより、外部機器（たとえば、外部機器Ａ）から送信された映像音声信号が表示部３から出力されている期間中でも、ユーザは、容易に、外部機器Ａ、ＢおよびＣの充電が完了したことを知ることができる。
【００４７】
また、第１実施形態では、上記のように、表示部３を、外部機器Ａ、ＢおよびＣの充電状態（充電が完了したこと）を報知する報知部を兼用するように構成する。これにより、報知部と表示部３とを別個に設ける場合と異なり、テレビジョン装置１００の構成を簡略化することができる。
【００４８】
（第２実施形態）
次に、図５を参照して、第２実施形態によるテレビジョン装置１０１の構成について説明する。この第２実施形態のテレビジョン装置１０１は、上記表示部３に外部機器Ａ、ＢおよびＣの充電状態および充電が完了したことが報知されていた第１実施形態と異なり、ＬＥＤインジケータ９により、外部機器Ａ、ＢおよびＣの充電状態および充電が完了したことが報知されるように構成されている。なお、ＬＥＤインジケータ９は、本発明の「報知部」および「インジケータ」の一例である。また、テレビジョン装置１０１は、本発明の「映像音声信号処理装置」の一例である。
【００４９】
テレビジョン装置１０１は、図５に示すように、信号切替回路１と、信号処理回路２と、表示部３と、制御部４と、電源部５と、電流制限回路６と、複数のコネクタ７ａ、７ｂおよび７ｃと、ＬＥＤインジケータ９とを備えている。そして、テレビジョン装置１０１では、ＬＥＤインジケータ９により、外部機器Ａ、ＢおよびＣの充電状態および充電が完了したことが報知されるように構成されている。たとえば、外部機器Ａ、ＢおよびＣの充電量の大きさに応じた数のＬＥＤを点灯させることにより、充電状態を報知するようにＬＥＤインジケータ９を構成する。また、外部機器Ａ、ＢおよびＣの充電が完了した際に、ＬＥＤインジケータ９が点灯するようにＬＥＤインジケータ９を構成する。
【００５０】
なお、第２実施形態のその他の構成および動作は、上記第１実施形態と同様である。
【００５１】
第２実施形態では、上記のように、外部機器Ａ、ＢおよびＣの充電状態（充電が完了したこと）を、テレビジョン装置１０１に設けられるＬＥＤインジケータ９により報知する。これにより、たとえば、表示部において外部機器Ａ、ＢおよびＣの充電状態や充電完了を報知する場合と異なり、表示部に表示されている映像の一部が充電状態および充電完了の報知により隠されることなく、外部機器Ａ、ＢおよびＣの充電状態および充電完了を報知することができる。
【００５２】
（第３実施形態）
次に、図６を参照して、第３実施形態によるテレビジョン装置について説明する。この第３実施形態のテレビジョン装置は、上記外部機器Ａ、ＢおよびＣに供給される電流量が、それぞれの外部機器Ａ、ＢおよびＣが有する上限値（ｐ、ｑ、ｒ）か、または、ＭＨＬの規格により予め定められている下限値（ｓ）になるように構成されている上記第１および第２実施形態とは異なり、外部機器Ａ、ＢおよびＣに供給する電流量がユーザにより変更されるように構成されている。
【００５３】
第３実施形態によるテレビジョン装置の構成は、上記図１に示す第１実施形態または図５に示す第２実施形態と同様である。また、第３実施形態では、ユーザの操作に基づいて、複数の外部機器Ａ、ＢおよびＣに供給する電流量を変更するように構成されている。具体的には、図６に示すように、ユーザがリモコン等を操作することにより、表示部３に外部機器Ａ、ＢおよびＣに供給する電流量（上限値および／または下限値）を入力する画面が表示される。そして、ユーザは、外部機器Ａ、ＢおよびＣのそれぞれに供給する電流量を入力するように構成されている。
【００５４】
なお、第３実施形態のその他の構成および動作は、上記第１および第２実施形態と同様である。
【００５５】
第３実施形態では、上記のように、ユーザの操作に基づいて、複数の外部機器Ａ、ＢおよびＣに供給する電流量を変更するように構成する。これにより、ユーザの操作に基づいて、送信された映像音声信号が表示部３から出力されていない外部機器（たとえば、外部機器ＢおよびＣ）に供給される電流量を元々設定されていた電流量（たとえば、ＭＨＬの規格により予め定められている下限値（ｓ））よりも大きくする（全ての外部機器に供給する電流量が電源部５の容量を超えない範囲で大きくする）ことにより、送信された映像音声信号が表示部３から出力されていない外部機器（たとえば、外部機器ＢおよびＣ）を高速に充電することができる。
【００５６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５７】
たとえば、上記第１〜第３実施形態では、テレビジョン装置に本発明を適用する例を示したが、本発明はこれに限られない。たとえば、テレビジョン装置以外のＢＤ（Ｂｌｕ−ｒａｙ  Ｄｉｓｃ）レコーダなどに本発明を適用してもよい。
【００５８】
また、上記第１〜第３実施形態では、外部機器から送信された映像音声信号を出力する表示部が設けられるテレビジョン装置に本発明を適用する例を示したが、本発明はこれに限られない。たとえば、映像信号が送信されない（音声信号のみを送信する）外部機器が接続され音声信号のみを再生する（表示部が設けられない）装置に本発明を適用してもよい。
【００５９】
また、上記第１および第２実施形態では、送信された映像音声信号が表示部から出力されている外部機器に供給する電流量を、外部機器が予め有する上限値にするとともに、それ以外の外部機器に供給する電流量を、ＭＨＬの規格が予め有する下限値になるように電流制限回路が制御される例を示したが、本発明はこれに限られない。本発明では、送信された映像音声信号が表示部から出力されていない外部機器（たとえば、外部機器ＢおよびＣ）に供給する電流量が、送信された映像音声信号が表示部から出力されている外部機器に供給する電流量（たとえば、外部機器Ａ）よりも小さくなるように構成されていればよい。また、本発明では、送信された映像音声信号が表示部から出力されている外部機器に供給する電流量（上限値）を、ユーザの操作に基づいて設定するようにしてもよい。また、送信された映像音声信号が表示部から出力されてない外部機器に供給する電流量（下限値）を、ユーザの操作に基づいて（ＭＨＬの規格が予め有する下限値よりも小さくならない範囲で）設定するようにしてもよい。これにより、ユーザの操作に基づいて、容易に、電流制御部の容量に応じた上限値および下限値を設定することができる。
【００６０】
また、上記第１〜第３実施形態では、３つの外部機器Ａ、ＢおよびＣがテレビジョン装置に接続されている例を示したが、本発明はこれに限られない。たとえば、３つ以外の複数の外部機器がテレビジョン装置に接続されていてもよい。
【００６１】
また、上記第１〜第３実施形態では、外部機器とテレビジョン装置とが、ＭＨＬの規格に基づいたケーブルを介して接続されている例を示したが、本発明はこれに限られない。本発明では、外部機器とテレビジョン装置とが、映像音声信号および電力を伝送するとともに外部機器とテレビジョン装置（制御部）との間で双方向通信する規格（たとえば、ＭｙＤＰ：Ｍｏｂｉｌｉｔｙ  ＤｉｓｐｌａｙＰｏｒｔ）に基づいて接続されていればよい。
【００６２】
また、上記第１〜第３実施形態では、外部機器の充電が完了した後、充電が完了した外部機器に供給する電流量を変更しない例を示したが、本発明はこれに限られない。たとえば、電流制御部を、送信された映像音声信号が表示部から出力されている外部機器の充電が完了した場合に、この外部機器（充電中は上限値の電流量が供給されていた外部機器）に供給する電流量を小さくするように構成してもよい。これにより、充電が完了した場合に、送信された映像音声信号が表示部から出力されている外部機器に供給する電流量が小さくされるので、テレビジョン装置の消費電力を抑制することができる。
【００６３】
また、上記第１〜第３実施形態では、１つの外部機器（たとえば、外部機器Ａ）から送信された映像音声信号が表示部に出力される例を示したが、本発明はこれに限られない。たとえば、図７に示す第１〜第３実施形態の変形例に示す表示部３ｂのように、複数（図７では２つ）の外部機器（たとえば、外部機器ＡおよびＢ）から送信された映像音声信号が表示部３ｂに出力されるように構成してもよい。この場合、送信された映像音声信号が表示部３ｂから出力されていない外部機器（たとえば、外部機器Ｃ）に供給する電流量を、送信された映像音声信号が表示部３ｂから出力されている外部機器（たとえば、外部機器ＡおよびＢ）に供給する電流量よりも小さくなるように電流制限回路６（図１参照）が制御される。
【００６４】
また、上記第２実施形態では、本発明のインジケータとしてＬＥＤインジケータを用いる例を示したが、本発明はこれに限られない。本発明では、ＬＥＤインジケータ以外のインジケータを用いてもよい。
【００６５】
また、上記第１〜第３実施形態では、外部機器の充電状態をバー（図３参照）や、ＬＥＤインジケータ（図５参照）により報知する例を示したが、本発明はこれに限られない。たとえば、外部機器の充電状態（充電量）をパーセント（％）などにより表示部に表示するようにしてもよい。
【符号の説明】
【００６６】
３  表示部（報知部）
４  制御部（判別部）
５  電源部（電流制御部）
６  電流制限回路（電流制御部）
７ａ、７ｂ、７ｃ  コネクタ（接続部）
９  ＬＥＤインジケータ（報知部、インジケータ）
１００、１０１  テレビジョン装置（映像音声信号処理装置）
【図１】
2014090280.tif 000003
【図２】
2014090280.tif 000004
【図３】
2014090280.tif 000005
【図４】
2014090280.tif 000006
【図５】
2014090280.tif 000007
【図６】
2014090280.tif 000008
【図７】
2014090280.tif 000009